(57)【要約】  端末装置（１００）は、データの送信を要求する際に、自装置の送信バッファのデータ滞留量を示すバッファ状態報告を生成する生成部（１１１）と、前記バッファ状態報告を送信するためのランダムアクセス手順を実行する送信制御部（１１２）と、自装置にあらかじめ割り当てられた第１の無線リソースを用いて前記バッファ状態報告が送信された場合に、前記送信制御部（１１２）によって実行中のランダムアクセス手順をキャンセルすることが可能なキャンセル制御部（１１３）とを有し、前記キャンセル制御部（１１３）は、前記バッファ状態報告が前記ランダムアクセス手順によって与えられる第２の無線リソースを用いて送信される場合に、前記ランダムアクセス手順をキャンセルしない。
2019215802.tif 000002
【特許請求の範囲】
【請求項１】
データの送信を要求する際に、自装置の送信バッファのデータ滞留量を示すバッファ状態報告を生成する生成部と、
前記バッファ状態報告を送信するためのランダムアクセス手順を実行する送信制御部と、
自装置にあらかじめ割り当てられた第１の無線リソースを用いて前記バッファ状態報告が送信された場合に、前記送信制御部によって実行中のランダムアクセス手順をキャンセルすることが可能なキャンセル制御部とを有し、
前記キャンセル制御部は、
前記バッファ状態報告が前記ランダムアクセス手順によって与えられる第２の無線リソースを用いて送信される場合に、前記ランダムアクセス手順をキャンセルしない
ことを特徴とする端末装置。
【請求項２】
前記無線リソースは、前記ランダムアクセス手順において割り当てられる無線リソースとは異なる無線リソースであることを特徴とする請求項１記載の端末装置。
【請求項３】
前記キャンセル制御部は、
上り回線の送信を許可するＵＬ（UpLink）グラントに応じて前記バッファ状態報告が送信された場合に、前記送信制御部によって実行中のランダムアクセス手順をキャンセルすることを特徴とする請求項１又は２記載の端末装置。
【請求項４】
前記キャンセル制御部は、
前記ランダムアクセス手順において受信されるＵＬグラントに応じて前記バッファ状態報告が送信された場合は、前記送信制御部によって実行中のランダムアクセス手順を継続させることを特徴とする請求項３記載の端末装置。
【請求項５】
端末装置からの要求に応じて、前記端末装置の送信バッファのデータ滞留量を示すバッファ状態報告を受信するためのランダムアクセス手順を実行するランダムアクセス処理部と、
前記端末装置にあらかじめ割り当てられた第１の無線リソースにおいて前記バッファ状態報告が受信された場合に、前記ランダムアクセス処理部によって実行中のランダムアクセス手順をキャンセルすることが可能なキャンセル制御部とを有し、
前記キャンセル制御部は、
前記バッファ状態報告が前記ランダムアクセス手順によって与えられる第２の無線リソースにおいて受信される場合に、前記ランダムアクセス手順をキャンセルしない
ことを特徴とする基地局装置。
【請求項６】
前記無線リソースは、前記ランダムアクセス手順において割り当てられる無線リソースとは異なる無線リソースであることを特徴とする請求項５記載の基地局装置。
【請求項７】
前記キャンセル制御部は、
上り回線の送信を許可するＵＬ（UpLink）グラントに応じて前記バッファ状態報告が受信された場合に、前記ランダムアクセス処理部によって実行中のランダムアクセス手順をキャンセルすることを特徴とする請求項５又は６記載の基地局装置。
【請求項８】
前記キャンセル制御部は、
前記ランダムアクセス手順において送信されるＵＬグラントに応じて前記バッファ状態報告が受信された場合には、前記ランダムアクセス処理部によって実行中のランダムアクセス手順を継続させることを特徴とする請求項７記載の基地局装置。
【請求項９】
端末装置と基地局装置とを備える無線通信システムであって、
前記端末装置は、
データの送信を要求する際に、自装置の送信バッファのデータ滞留量を示すバッファ状態報告を生成する生成部と、
前記バッファ状態報告を送信するためのランダムアクセス手順を実行する送信制御部と、
自装置にあらかじめ割り当てられた第１の無線リソースを用いて前記バッファ状態報告が送信された場合に、前記送信制御部によって実行中のランダムアクセス手順をキャンセルする第１のキャンセル制御部とを有し、
前記基地局装置は、
前記端末装置からの要求に応じて、前記バッファ状態報告を受信するためのランダムアクセス手順を実行するランダムアクセス処理部と、
前記第１の無線リソースにおいて前記バッファ状態報告が受信された場合に、前記ランダムアクセス処理部によって実行中のランダムアクセス手順をキャンセルする第２のキャンセル制御部とを有し、
前記第１のキャンセル制御部及び前記第２のキャンセル制御部は、
前記バッファ状態報告が前記ランダムアクセス手順によって与えられる第２の無線リソースを用いて送受信される場合に、前記ランダムアクセス手順をキャンセルしない
ことを特徴とする無線通信システム。
【請求項１０】
端末装置によって実行されるスケジューリングリクエスト方法であって、
データの送信を要求する際に、前記端末装置の送信バッファのデータ滞留量を示すバッファ状態報告を生成し、
前記バッファ状態報告を送信するためのランダムアクセス手順を実行し、
前記端末装置にあらかじめ割り当てられた第１の無線リソースを用いて前記バッファ状態報告が送信された場合に、実行中のランダムアクセス手順をキャンセルする処理を有し、
前記キャンセルする処理は、
前記バッファ状態報告が前記ランダムアクセス手順によって与えられる第２の無線リソースを用いて送信される場合に、前記ランダムアクセス手順をキャンセルしない
ことを特徴とするスケジューリングリクエスト方法。
【発明の詳細な説明】
【技術分野】
【０００１】
本発明は、端末装置、基地局装置、無線通信システム及びスケジューリングリクエスト方法に関する。
【背景技術】
【０００２】
現在のネットワークは、モバイル端末（スマートフォンやフィーチャーホン）のトラフィックがネットワークのリソースの大半を占めている。また、モバイル端末が使うトラフィックは、今後も拡大していく傾向にある。【０００３】
一方で、ＩｏＴ（Internet  of  a  things）サービス（例えば、交通システム、スマートメータ、装置等の監視システム）の展開に合わせて、多様な要求条件を持つサービスに対応することが求められている。そのため、第５世代移動体通信（５Ｇ又はＮＲ（Ｎｅｗ  Ｒａｄｉｏ））の通信規格では、４Ｇ（第４世代移動体通信）の標準技術（例えば、非特許文献１〜１１）に加えて、さらなる高データレート化、大容量化、低遅延化を実現する技術が求められている。なお、第５世代通信規格については、３ＧＰＰの作業部会（例えば、ＴＳＧ−ＲＡＮ  ＷＧ１、ＴＳＧ−ＲＡＮ  ＷＧ２等）で技術検討が進められている。（非特許文献１２〜３９）。現在、３ＧＰＰが規定する５Ｇの標準仕様の初版がリリースされている。【０００４】
上述したように、多種多様なサービスに対応するために、５Ｇでは、ｅＭＢＢ（Enhanced  Mobile  BroadBand）、Ｍａｓｓｉｖｅ  ＭＴＣ（Machine  Type  Communications)及びＵＲＬＬＣ（Ultra−Reliable  and  Low  Latency  Communication）に分類される多くのユースケースのサポートが想定されている。【０００５】
無線ネットワークでは、端末装置がデータを送信するために無線リソースが割り当てられる必要がある。このため、端末装置は、接続する基地局装置に対してスケジューリングリクエスト手順を実施する。端末装置は、スケジューリングリクエスト（ＳＲ：Scheduling  request）を送信するためにＰＵＣＣＨ（Physical  Uplink  Control  CHannel）リソースが割り当てられている場合は、ＰＵＣＣＨリソースを用いてＳＲを送信する。つまり、ＳＲの送信チャネルとしてＰＵＣＣＨを用いる。【０００６】
ＳＲを受信した基地局装置は、端末装置による上り回線の送信のためのＵＬグラント（UL  grant：上り送信許可）を与える。端末装置がＵＬグラントを受信すると、端末装置は、データバッファに滞留しているデータ量を基地局装置へ報告する。この報告は、ＢＳＲ（Buffer  Status  Report：バッファ状態報告）と呼ばれることがある。ＢＳＲを受信した基地局装置は、端末装置のデータバッファに滞留するデータ量を把握し、適切な量の上り回線の無線リソースを端末装置に割り当て、この無線リソースを通知するＵＬグラントを端末装置へ送信する。この結果、端末装置は、通知された無線リソースを用いて上りデータを基地局装置へ送信する。以上の手順は、ＳＲ  ＰＵＣＣＨと呼ばれることがある。【０００７】
一方、ＰＵＣＣＨリソースが不足している場合、基地局装置は、ＳＲのためのＰＵＣＣＨリソースを端末装置に割り当てないケースがある。この場合、端末装置は上りデータを送信するために、ランダムアクセス（Random  Access：ＲＡ）手順を実施する必要がある。ＲＡ手順においては、４つの信号が端末装置及び基地局装置間で送受信される。具体的には、以下のメッセージが送受信される。【０００８】
Msg1（端末装置から基地局装置へ）：ランダムアクセスプリアンブルを含む。チャネルとしてＲＡＣＨ（Random  Access  CHannel）が使用される。【０００９】
Msg2（基地局装置から端末装置へ）：ランダムアクセスレスポンスを含む。チャネルとしてＰＤＳＣＨ（Physical  Downlink  Shared  CHannel）が使用される。送信される情報には、基地局装置が受信したMsg1におけるランダムアクセスプリアンブルの識別情報と、次に上り回線で送信されるメッセージのためのＵＬグラントとが含まれる。【００１０】
Msg3（端末装置から基地局装置へ）：チャネルとしてＰＵＳＣＨ（Phisical  Uplink  Shared  CHannel）が使用される。Msg3を送信するための無線リソースは、Msg2のＵＬグラントによって通知される。また、Msg3によって端末装置の識別子が送信される。結果として、Msg3を受信する基地局装置は、ＲＡ手順を実施している端末装置を特定することができる。【００１１】
Msg4（基地局装置から端末装置へ）：ＵＬグラントを含む。このＵＬグラントを受信する端末装置は、ＲＡ手順が成功したと判断する。【００１２】
ＲＡ手順が成功した場合には、端末装置は、ＳＲ  ＰＵＣＣＨの場合と同様に、Msg4のＵＬグラントを用いてＢＳＲを送信し、適切な量の上り回線の無線リソースを割り当てるＵＬグラントを基地局装置から受信し、上りデータを送信する。以上の手順は、ＳＲ  ＲＡＣＨと呼ばれることがある。【００１３】
ＳＲ  ＲＡＣＨのキャンセル手順については、ＵＬグラントがＣ−ＲＮＴＩ（Cell-Radio  Network  Temporary  Identifier）に対して割り当てられ、かつ、ＰＵＳＣＨによって送信されるＭＡＣ(Media  Access  Control)  ＰＤＵ（Protocol  Data  Unit）が端末装置の最新のバッファ状態（データ滞留状態）を反映するＢＳＲを含む場合に上記の手順をキャンセルすることが検討されている（非特許文献２１、３９）。
【先行技術文献】
【非特許文献】
【００１４】
【非特許文献１】3GPP  TS  36.211  V15.1.0（2018-03）
【非特許文献２】3GPP  TS  36.212  V15.1.0（2018-03）
【非特許文献３】3GPP  TS  36.213  V15.1.0（2018-03）
【非特許文献４】3GPP  TS  36.300  V15.1.0（2018-03）
【非特許文献５】3GPP  TS  36.321  V15.1.0（2018-03）
【非特許文献６】3GPP  TS  36.322  V15.0.1（2018-04）
【非特許文献７】3GPP  TS  36.323  V14.5.0（2017-12）
【非特許文献８】3GPP  TS  36.331  V15.1.0（2018-03）
【非特許文献９】3GPP  TS  36.413  V15.1.0（2018-03）
【非特許文献１０】3GPP  TS  36.423  V15.1.0（2018-03）
【非特許文献１１】3GPP  TS  36.425  V14.1.0（2018-03）
【非特許文献１２】3GPP  TS  37.340  V15.1.0（2018-03）
【非特許文献１３】3GPP  TS  38.201  V15.0.0（2017-12）
【非特許文献１４】3GPP  TS  38.202  V15.1.0（2018-03）
【非特許文献１５】3GPP  TS  38.211  V15.1.0（2018-03）
【非特許文献１６】3GPP  TS  38.212  V15.1.1（2018-04）
【非特許文献１７】3GPP  TS  38.213  V15.1.0（2018-03）
【非特許文献１８】3GPP  TS  38.214  V15.1.0（2018-03）
【非特許文献１９】3GPP  TS  38.215  V15.1.0（2018-03）
【非特許文献２０】3GPP  TS  38.300  V15.1.0（2018-03）
【非特許文献２１】3GPP  TS  38.321  V15.1.0（2018-03）
【非特許文献２２】3GPP  TS  38.322  V15.1.0（2018-03）
【非特許文献２３】3GPP  TS  38.323  V15.1.0（2018-03）
【非特許文献２４】3GPP  TS  38.331  V15.1.0（2018-03）
【非特許文献２５】3GPP  TS  38.401  V15.1.0（2018-03）
【非特許文献２６】3GPP  TS  38.410  V0.9.0（2018-04）
【非特許文献２７】3GPP  TS  38.413  V0.8.0（2018-04）
【非特許文献２８】3GPP  TS  38.420  V0.8.0（2018-04）
【非特許文献２９】3GPP  TS  38.423  V0.8.0（2018-04）
【非特許文献３０】3GPP  TS  38.470  V15.1.0（2018-03）
【非特許文献３１】3GPP  TS  38.473  V15.1.1（2018-04）
【非特許文献３２】3GPP  TR  38.801  V14.0.0（2017-04）
【非特許文献３３】3GPP  TR  38.802  V14.2.0（2017-09）
【非特許文献３４】3GPP  TR  38.803  V14.2.0（2017-09）
【非特許文献３５】3GPP  TR  38.804  V14.0.0（2017-03）
【非特許文献３６】3GPP  TR  38.900  V14.3.1（2017-07）
【非特許文献３７】3GPP  TR  38.912  V14.1.0（2017-06）
【非特許文献３８】3GPP  TR  38.913  V14.3.0（2017-06）
【非特許文献３９】R2-1804572,  "Miscellaneous  corrections",  3GPP  TSG  RAN  WG2  Meeting  #101bis,  Sanya,  China,  16-20  April  2018
【発明の概要】
【発明が解決しようとする課題】
【００１５】
しかしながら、現在検討されているＳＲ  ＲＡＣＨのキャンセル手順では、キャンセルするか否かが不明確なケースがあるという問題がある。具体的には、例えばＬＴＥ−Ａ（Long  Term  Evolution-Advanced）におけるＳＰＳ（Semi-Persistent  Scheduling）のように、周期的な無線リソースが割り当てられるスケジューリングでは、端末装置は、基地局装置からのＵＬグラントを受信しなくてもＢＳＲを送信可能なことがある。すなわち、端末装置は、あらかじめ割り当てられた上り回線の無線リソースを用いて、ＢＳＲを送信する場合がある。このような場合、ＵＬグラントを用いてＢＳＲが送信されている訳ではないため、ＳＲ  ＲＡＣＨはキャンセルされない。このため、既にＢＳＲが送信されているにも関わらず、ＢＳＲを送信するためのＳＲ  ＲＡＣＨの手順が継続され、無駄な処理が発生する。【００１６】
開示の技術は、かかる点に鑑みてなされたものであって、ランダムアクセス手順を適切にキャンセルすることができる端末装置、基地局装置、無線通信システム及びスケジューリングリクエスト方法を提供することを目的とする。
【課題を解決するための手段】
【００１７】
本願が開示する端末装置は、１つの態様において、データの送信を要求する際に、自装置の送信バッファのデータ滞留量を示すバッファ状態報告を生成する生成部と、前記バッファ状態報告を送信するためのランダムアクセス手順を実行する送信制御部と、自装置にあらかじめ割り当てられた第１の無線リソースを用いて前記バッファ状態報告が送信された場合に、前記送信制御部によって実行中のランダムアクセス手順をキャンセルすることが可能なキャンセル制御部とを有し、前記キャンセル制御部は、前記バッファ状態報告が前記ランダムアクセス手順によって与えられる第２の無線リソースを用いて送信される場合に、前記ランダムアクセス手順をキャンセルしない。
【発明の効果】
【００１８】
本願が開示する端末装置、基地局装置、無線通信システム及びスケジューリングリクエスト方法の１つの態様によれば、ランダムアクセス手順を適切にキャンセルすることができるという効果を奏する。
【図面の簡単な説明】
【００１９】
【図１】図１は、一実施の形態に係る端末装置の構成を示すブロック図である。
【図２】図２は、一実施の形態に係る基地局装置の構成を示すブロック図である。
【図３】図３は、スケジューリングリクエストの具体例を示すシーケンス図である。
【図４】図４は、スケジューリングリクエストの他の具体例を示すシーケンス図である。
【図５】図５は、一実施の形態に係る内容の標準仕様書への記載例を示す図である。
【発明を実施するための形態】
【００２０】
以下、本願が開示する端末装置、基地局装置、無線通信システム及びスケジューリングリクエスト方法の一実施の形態について、図面を参照して詳細に説明する。なお、この実施の形態により本発明が限定されるものではない。
【００２１】
図１は、一実施の形態に係る端末装置１００の構成を示すブロック図である。図１に示す端末装置１００は、プロセッサ１１０、メモリ１２０及び無線通信部１３０を有する。
【００２２】
プロセッサ１１０は、例えばＣＰＵ（Central  Processing  Unit）、ＦＰＧＡ（Field  Programmable  Gate  Array）又はＤＳＰ（Digital  Signal  Processor）などを備え、端末装置１００の全体を統括制御する。具体的には、プロセッサ１１０は、ＢＳＲ（Buffer  Status  Report）生成部１１１、ＵＬ（UpLink）送信制御部１１２及びキャンセル制御部１１３を有する。
【００２３】
ＢＳＲ生成部１１１は、上り回線の送信を要求するスケジューリングリクエストを実行する際に、端末装置１００の送信バッファを参照して、上り回線によって送信すべきデータの量を把握する。すなわち、ＢＳＲ生成部１１１は、端末装置１００の送信バッファのデータ滞留量を把握する。そして、ＢＳＲ生成部１１１は、データ滞留量を報告するバッファ状態報告（ＢＳＲ）を生成する。
【００２４】
ＵＬ送信制御部１１２は、端末装置１００から基地局装置へ向かう上り回線（UpLink）の送信を制御する。具体的には、ＵＬ送信制御部１１２は、上り回線の送信を要求するスケジューリングリクエストを実行する際に、スケジューリングリクエストのためのＰＵＣＣＨの無線リソースがあらかじめ端末装置１００に割り当てられているか否かを判断する。そして、ＰＵＣＣＨの無線リソースが割り当てられている場合には、ＵＬ送信制御部１１２は、割り当てられたＰＵＣＣＨの無線リソースを用いて、スケジューリングリクエストを無線通信部１３０から送信させる。また、ＵＬ送信制御部１１２は、例えば周期的な無線リソースがあらかじめ端末装置１００に割り当てられている場合には、この無線リソースを用いて、スケジューリングリクエスト及びＢＳＲ生成部１１１によって生成されたＢＳＲを無線通信部１３０から送信させても良い。
【００２５】
一方、ＰＵＣＣＨの無線リソースが割り当てられていない場合には、ＵＬ送信制御部１１２は、ランダムアクセス手順によってスケジューリングリクエストを実行し、種々のメッセージを送受信する。具体的には、ＵＬ送信制御部１１２は、ＲＡＣＨ（Random  Access  CHannel）を使用してランダムアクセスプリアンブルを無線通信部１３０から送信させる。そして、ＵＬ送信制御部１１２は、端末装置１００から送信されたランダムアクセスプリアンブルの識別情報とＵＬグラントとを含むランダムアクセスレスポンスが受信されると、ＵＬグラントによって割り当てられたＰＵＳＣＨ（Physical  Uplink  Shared  CHannel）を使用して、端末装置１００の識別情報を無線通信部１３０から送信させる。その後、ＵＬ送信制御部１１２は、ランダムアクセス手順が成功したことを示すＵＬグラントが受信されると、ＢＳＲ生成部１１１によって生成されたＢＳＲを無線通信部１３０から送信させる。
【００２６】
なお、ＵＬ送信制御部１１２は、ランダムアクセス手順において送受信されるメッセージをキャンセル制御部１１３へ通知する。そして、キャンセル制御部１１３からランダムアクセス手順のキャンセルが指示された場合には、実行中のランダムアクセス手順をキャンセルする。
【００２７】
キャンセル制御部１１３は、ランダムアクセス手順において送受信されるメッセージの内容及び端末装置１００に対する無線リソースの割り当て状況に基づいて、スケジューリングリクエスト時に実行されるランダムアクセス手順をキャンセルするか否かを判定する。具体的には、キャンセル制御部１１３は、ランダムアクセス手順の実行中に、端末装置１００にあらかじめ割り当てられた無線リソースを用いてＢＳＲが送信された場合には、実行中のランダムアクセス手順をキャンセルさせる。すなわち、キャンセル制御部１１３は、例えば周期的な無線リソースが端末装置１００に割り当てられており、この無線リソースを用いてＢＳＲが送信された場合には、ＵＬグラントが受信されなくてもランダムアクセス手順をキャンセルさせる。
【００２８】
また、キャンセル制御部１１３は、ランダムアクセス手順の実行中に、例えばランダムアクセスレスポンスに含まれるＵＬグラントに応じてＢＳＲが送信された場合、ランダムアクセス手順をキャンセルさせずに継続すると判定する。すなわち、キャンセル制御部１１３は、ランダムアクセス手順の途中で受信されるＵＬグラントに応じて、端末装置１００の識別情報とともにＢＳＲが送信された場合には、ランダムアクセス手順を継続させて最後のＵＬグラントの受信を完了させる。
【００２９】
メモリ１２０は、例えばＲＡＭ（Random  Access  Memory）又はＲＯＭ（Read  Only  Memory）などを備え、プロセッサ１１０が処理を実行するために使用する情報を記憶する。
【００３０】
無線通信部１３０は、プロセッサ１１０によって生成される送信データに対して、例えばＤ／Ａ（Digital/Analog）変換及びアップコンバートなどの無線送信処理を施し、アンテナを介して無線送信する。また、無線通信部１３０は、アンテナを介して無線受信した受信データに対して、例えばダウンコンバート及びＡ／Ｄ（Analog/Digital）変換などの無線受信処理を施し、プロセッサ１１０へ出力する。
【００３１】
図２は、一実施の形態に係る基地局装置２００の構成を示すブロック図である。図２に示す基地局装置２００は、無線通信部２１０、プロセッサ２２０、メモリ２３０及びネットワークＩＦ（Interface）部２４０を有する。
【００３２】
無線通信部２１０は、アンテナを介して無線受信した受信データに対して、例えばダウンコンバート及びＡ／Ｄ変換などの無線受信処理を施し、プロセッサ２２０へ出力する。また、無線通信部２１０は、プロセッサ２２０によって生成される送信データに対して、例えばＤ／Ａ変換及びアップコンバートなどの無線送信処理を施し、アンテナを介して無線送信する。
【００３３】
プロセッサ２２０は、例えばＣＰＵ、ＦＰＧＡ又はＤＳＰなどを備え、基地局装置２００の全体を統括制御する。具体的には、プロセッサ２２０は、スケジューリング部２２１、ＲＡ（Random  Access）処理部２２２及びキャンセル制御部２２３を有する。
【００３４】
スケジューリング部２２１は、端末装置１００からスケジューリングリクエストが送信された場合に、端末装置１００に対して上り回線の無線リソースを割り当てるスケジューリングを実行する。具体的には、スケジューリング部２２１は、端末装置１００から送信されるＢＳＲを取得し、端末装置１００の送信バッファに滞留するデータを送信するための無線リソースを決定する。
【００３５】
ＲＡ処理部２２２は、端末装置１００によるスケジューリングリクエストがランダムアクセス手順によって実行される場合に、種々のメッセージを送受信するランダムアクセスの処理を実行する。具体的には、ＲＡ処理部２２２は、ランダムアクセスプリアンブルが受信されると、ランダムアクセスプリアンブルに識別情報を付与し、この識別情報と次の上り回線のメッセージ送信のための無線リソースを示すＵＬグラントとを含むランダムアクセスレスポンスを無線通信部２１０から送信させる。そして、ＲＡ処理部２２２は、端末装置１００の識別情報が受信されると、スケジューリング部２２１によって端末装置１００に割り当てられた無線リソースを示すＵＬグラントを無線通信部２１０から送信させる。
【００３６】
キャンセル制御部２２３は、ランダムアクセス手順において送受信されるメッセージの内容及び端末装置１００に対する無線リソースの割り当て状況に基づいて、スケジューリングリクエスト時に実行されるランダムアクセス手順をキャンセルするか否かを判定する。具体的には、キャンセル制御部２２３は、ランダムアクセス手順の実行中に、端末装置１００にあらかじめ割り当てられた無線リソースによってＢＳＲが受信された場合には、ＲＡ処理部２２２によって実行中のランダムアクセス処理をキャンセルさせる。すなわち、キャンセル制御部２２３は、例えば周期的な無線リソースが端末装置１００に割り当てられており、この無線リソースによってＢＳＲが受信された場合には、ＵＬグラントの送信有無に関わらずランダムアクセス処理をキャンセルさせる。
【００３７】
また、キャンセル制御部２２３は、ランダムアクセス手順の実行中に、例えばランダムアクセスレスポンスに含まれるＵＬグラントに応じてＢＳＲが受信された場合、ランダムアクセス手順をキャンセルさせずに継続すると判定する。すなわち、キャンセル制御部２２３は、ランダムアクセス手順の途中で受信されるＵＬグラントに応じて、端末装置１００の識別情報とともにＢＳＲが受信された場合には、ランダムアクセス手順を継続させて最後のＵＬグラントの送信を完了させる。
【００３８】
メモリ２３０は、例えばＲＡＭ又はＲＯＭなどを備え、プロセッサ２２０が処理を実行するために使用する情報を記憶する。
【００３９】
ネットワークＩＦ部２４０は、例えばコアネットワークを構成する装置に有線接続されるインタフェースである。
【００４０】
次いで、上記のように構成された端末装置１００及び基地局装置２００を有する無線通信システムにおけるスケジューリングリクエストの具体例について、図３、４を参照しながら説明する。図３は、ランダムアクセス手順によって実行されるスケジューリングリクエストの具体例を示すシーケンス図である。
【００４１】
図３に示す無線通信システムにおいては、スケジューリングリクエストが実行される前に、基地局装置２００によってあらかじめ周期的な無線リソースが端末装置１００に割り当てられ、端末装置１００が上り回線の送信に利用可能な無線リソースが端末装置１００に通知される（ステップＳ１０１）。このため、端末装置１００は、明示的なＵＬグラントが受信されなくても、あらかじめ割り当てられた周期的な無線リソースを利用して、上り回線の送信を実行することができる。ただし、あらかじめ割り当てられた周期的な無線リソースには限りがあるため、端末装置１００は、上り回線を利用して送信すべきデータが発生した場合には、ＰＵＣＣＨ又はＲＡＣＨを用いたスケジューリングリクエストによって、基地局装置２００に対して上り回線のスケジューリングを要求する。ここでは、ＲＡＣＨを用いたランダムアクセス手順によるスケジューリングリクエストが実行されるものとして、説明を続ける。
【００４２】
ランダムアクセス手順においては、端末装置１００は、ランダムアクセスプリアンブルを基地局装置２００へ送信する（ステップＳ１０２）。基地局装置２００は、ランダムアクセスプリアンブルを受信すると、このランダムアクセスプリアンブルに識別情報を付与し、この識別情報と次の上り回線の送信に利用可能な無線リソースを示すＵＬグラントとを含むランダムアクセスレスポンスを端末装置１００へ送信する（ステップＳ１０３）。
【００４３】
ところで、ランダムアクセス手順が実行されている間、あらかじめ端末装置１００に割り当てられた周期的な無線リソースの送信タイミングが到来すると、端末装置１００は、早期に上り回線の送信を開始するために、周期的な無線リソースを利用してＢＳＲを送信することがある（ステップＳ１０４）。このＢＳＲの送信は、ランダムアクセスレスポンスに含まれるＵＬグラントに応じたものではなく、端末装置１００によってランダムアクセスレスポンスが受信される前にも発生し得る。すなわち、端末装置１００は、ＵＬグラントの受信有無に関わらず、あらかじめ割り当てられた無線リソースを用いてＢＳＲを早期に送信することがある。
【００４４】
ＢＳＲが送信された場合、端末装置１００のキャンセル制御部１１３によって、ランダムアクセス手順をキャンセルする否かの判定が行われる（ステップＳ１０５）。同様に、基地局装置２００のキャンセル制御部２２３によっても、ＲＡ処理部２２２によるランダムアクセス処理をキャンセルさせるか否かの判定が行われる（ステップＳ１０５）。ここでのキャンセル判定においては、ＵＬグラントに応じてＢＳＲが送信されたか、又はあらかじめ端末装置１００に割り当てられた周期的な無線リソースを利用してＢＳＲが送信された場合に、ランダムアクセス手順をキャンセルすると判定される。すなわち、ＵＬグラントに応じてＢＳＲが送信された場合のみならず、ＵＬグラントの有無に関わらず、あらかじめ割り当てられた無線リソースによってＢＳＲが送信された場合にも、ランダムアクセス手順がキャンセルされる。
【００４５】
ランダムアクセス手順がキャンセルされた以後は、端末装置１００においては、ＵＬ送信制御部１１２によるランダムアクセス手順のメッセージの送受信が停止され、基地局装置２００においては、ＲＡ処理部２２２によるランダムアクセス手順のメッセージの送受信が停止される。これにより、端末装置１００からＢＳＲが送信されて基地局装置２００によるスケジューリングが実行可能になった後に、無駄にランダムアクセス手順が継続されることを防止することができる。換言すれば、ランダムアクセス手順を適切にキャンセルすることができる。
【００４６】
図４は、ランダムアクセス手順によって実行されるスケジューリングリクエストの他の具体例を示すシーケンス図である。図４において、図３と同じ部分には同じ符号を付す。
【００４７】
図４に示す無線通信システムにおいては、図３とは異なり、端末装置１００に対してあらかじめ周期的な無線リソースが割り当てられていない。このため、端末装置１００は、上り回線を利用して送信すべきデータが発生した場合には、ＰＵＣＣＨ又はＲＡＣＨを用いたスケジューリングリクエストによって、基地局装置２００に対して上り回線のスケジューリングを要求する。ここでは、ＲＡＣＨを用いたランダムアクセス手順によるスケジューリングリクエストが実行されるものとして、説明を続ける。
【００４８】
ランダムアクセス手順においては、端末装置１００は、ランダムアクセスプリアンブルを基地局装置２００へ送信する（ステップＳ１０２）。基地局装置２００は、ランダムアクセスプリアンブルを受信すると、このランダムアクセスプリアンブルに識別情報を付与し、この識別情報と次の上り回線の送信に利用可能な無線リソースを示すＵＬグラントとを含むランダムアクセスレスポンスを端末装置１００へ送信する（ステップＳ１０３）。
【００４９】
ランダムアクセスレスポンスを受信した端末装置１００は、ランダムアクセスレスポンスに含まれるＵＬグラントに応じて端末装置１００の識別情報を基地局装置２００へ送信する（ステップＳ２０１）。このとき、端末装置１００は、上り回線の送信を早期に開始するために、端末装置１００の識別情報とともにＢＳＲを送信しても良い。
【００５０】
ＢＳＲが送信された場合、端末装置１００のキャンセル制御部１１３によって、ランダムアクセス手順をキャンセルする否かの判定が行われる（ステップＳ１０５）。同様に、基地局装置２００のキャンセル制御部２２３によっても、ＲＡ処理部２２２によるランダムアクセス処理をキャンセルさせるか否かの判定が行われる（ステップＳ１０５）。ここでのキャンセル判定においては、ＵＬグラントに応じてＢＳＲが送信された場合に、ランダムアクセス手順をキャンセルすると判定されるが、ランダムアクセスレスポンスに含まれるＵＬグラントに応じてＢＳＲが送信されている場合には、ランダムアクセス手順をキャンセルせずに継続すると判定される。すなわち、ＵＬグラントに応じてＢＳＲが送信された場合のうち、ランダムアクセスレスポンスに含まれるＵＬグラントに応じてＢＳＲが送信された場合を除外して、ランダムアクセス手順がキャンセルされる。
【００５１】
ランダムアクセスレスポンスに含まれるＵＬグラントに応じてＢＳＲが送信された場合には、ランダムアクセス手順が継続されるため、基地局装置２００は、端末装置１００による上り回線の送信を許可するＵＬグラントを送信し（ステップＳ２０２）、ランダムアクセス手順が完了する。ここで送信されるＵＬグラントは、端末装置１００が上り回線の送信に利用可能な無線リソースを指定しているため、端末装置１００は、送信バッファに滞留するデータの送信を早期に開始することができる。また、ランダムアクセス手順が完了した後は、基地局装置２００がＢＳＲに応じたスケジューリングを実行し、ＵＬグラントが端末装置１００へ送信される。
【００５２】
以上のように、本実施の形態によれば、ランダムアクセス手順によってスケジューリングリクエストが実行されている際に、ランダムアクセスレスポンス以外のＵＬグラントに応じてバッファ状態報告が送信された場合、及びＵＬグラントの有無に関わらずあらかじめ割り当てられた周期的な無線リソースによってバッファ状態報告が送信された場合に、ランダムアクセス手順をキャンセルする。このため、ＵＬグラントの有無に関わらず、上り回線のスケジューリングに使用されるバッファ状態報告が送信された場合には、バッファ状態報告の送信のためのランダムアクセス手順が無駄に実行されることを防止することができる。換言すれば、ランダムアクセス手順を適切にキャンセルすることができる。
【００５３】
また、ランダムアクセスレスポンスに含まれるＵＬグラントに応じてバッファ状態報告が送信された場合には、ランダムアクセス手順をキャンセルせずに継続する。このため、ランダムアクセス手順に即して送信されるＵＬグラントがランダムアクセス手順をキャンセルする条件から除外され、過剰なランダムアクセス手順のキャンセルを防止することができる。
【００５４】
なお、ランダムアクセス手順のキャンセルは、例えば、保留中のスケジューリングリクエストを停止すると言い換えても良い。また、ランダムアクセス手順のキャンセルは、例えば、ＭＡＣエンティティで行われる。具体的には、ランダムアクセスプロセスによって提供される（又は提供される予定の）ＵＬグラント（例えば第１のＵＬグラント）以外のＵＬグラント（例えば第２のＵＬグラント）を用いてＭＡＣ  ＰＤＵを送信する場合に、ＭＡＣエンティティは、ＭＡＣ  ＰＤＵの構成に先立って、ＭＡＣエンティティによって開始されたランダムアクセス手順であって、有効なＰＵＣＣＨリソースが設定されていない保留中のスケジューリングリクエストのための進行中のランダムアクセス手順を停止することができる。
【００５５】
また、上記一実施の形態に係る内容は、例えば、非特許文献２１（ＴＳ３８．３２１）に記載のスケジューリングリクエストの項目を例えば図５のようにアップデートすることができる。
【００５６】
また、ランダムアクセス手順のキャンセル（停止）は、ランダムアクセス手順におけるどの状態で行われても良い。例えば、基地局装置２００から端末装置１００へのランダムアクセスレスポンスの送信の有無に応じてランダムアクセス手順のキャンセルが実行されても良い。具体的には、ランダムアクセスレスポンスが送信された場合に、ランダムアクセス手順が継続され（キャンセルされず）、ランダムアクセスレスポンスが送信されない場合に、ランダムアクセス手順がキャンセルされる。また、端末装置１００は、ランダムアクセスレスポンスを受信しない場合（所定時間受信しない場合や他のランダムアクセスレスポンスを受信した場合）に、ランダムアクセス手順がキャンセルされたものとして処理を行う。
【符号の説明】
【００５７】
１１０、２２０  プロセッサ
１１１  ＢＳＲ生成部
１１２  ＵＬ送信制御部
１１２  送信制御部
１１３、２２３  キャンセル制御部
１２０、２３０  メモリ
１３０、２１０  無線通信部
２２１  スケジューリング部
２２２  ＲＡ処理部
２４０  ネットワークＩＦ部
【図１】
2019215802.tif 000003
【図２】
2019215802.tif 000004
【図３】
2019215802.tif 000005
【図４】
2019215802.tif 000006
【図５】
2019215802.tif 000007
【手続補正書】
【提出日】令和1年11月25日(2019.11.25)
【手続補正１】
【補正対象書類名】特許請求の範囲
【補正対象項目名】全文
【補正方法】変更
【補正の内容】
【特許請求の範囲】
【請求項１】
データの送信を要求する際に、自装置の送信バッファのデータ滞留量を示すバッファ状態報告を生成する生成部と、
前記バッファ状態報告を送信するためのランダムアクセス手順を実行する送信制御部と、
自装置にあらかじめ割り当てられた第１の無線リソースを用いて前記バッファ状態報告が送信された場合に、前記送信制御部によって実行中のランダムアクセス手順をキャンセルすることが可能なキャンセル制御部とを有し、
前記キャンセル制御部は、
前記バッファ状態報告が前記ランダムアクセス手順によって与えられる第２の無線リソースを用いて送信される場合に、前記ランダムアクセス手順をキャンセルしない
ことを特徴とする端末装置。
【請求項２】
前記第１の無線リソースは、前記ランダムアクセス手順において割り当てられる前記第２の無線リソースとは異なる無線リソースであることを特徴とする請求項１記載の端末装置。
【請求項３】
前記キャンセル制御部は、
上り回線の送信を許可するＵＬ（UpLink）グラントに応じて前記バッファ状態報告が送信された場合に、前記送信制御部によって実行中のランダムアクセス手順をキャンセルすることを特徴とする請求項１又は２記載の端末装置。
【請求項４】
前記キャンセル制御部は、
前記ランダムアクセス手順において受信されるＵＬグラントに応じて前記バッファ状態報告が送信された場合は、前記送信制御部によって実行中のランダムアクセス手順を継続させることを特徴とする請求項３記載の端末装置。
【請求項５】
端末装置からの要求に応じて、前記端末装置の送信バッファのデータ滞留量を示すバッファ状態報告を受信するためのランダムアクセス手順を実行するランダムアクセス処理部と、
前記端末装置にあらかじめ割り当てられた第１の無線リソースにおいて前記バッファ状態報告が受信された場合に、前記ランダムアクセス処理部によって実行中のランダムアクセス手順をキャンセルすることが可能なキャンセル制御部とを有し、
前記キャンセル制御部は、
前記バッファ状態報告が前記ランダムアクセス手順によって与えられる第２の無線リソースにおいて受信される場合に、前記ランダムアクセス手順をキャンセルしない
ことを特徴とする基地局装置。
【請求項６】
前記第１の無線リソースは、前記ランダムアクセス手順において割り当てられる前記第２の無線リソースとは異なる無線リソースであることを特徴とする請求項５記載の基地局装置。
【請求項７】
前記キャンセル制御部は、
上り回線の送信を許可するＵＬ（UpLink）グラントに応じて前記バッファ状態報告が受信された場合に、前記ランダムアクセス処理部によって実行中のランダムアクセス手順をキャンセルすることを特徴とする請求項５又は６記載の基地局装置。
【請求項８】
前記キャンセル制御部は、
前記ランダムアクセス手順において送信されるＵＬグラントに応じて前記バッファ状態報告が受信された場合には、前記ランダムアクセス処理部によって実行中のランダムアクセス手順を継続させることを特徴とする請求項７記載の基地局装置。
【請求項９】
端末装置と基地局装置とを備える無線通信システムであって、
前記端末装置は、
データの送信を要求する際に、自装置の送信バッファのデータ滞留量を示すバッファ状態報告を生成する生成部と、
前記バッファ状態報告を送信するためのランダムアクセス手順を実行する送信制御部と、
自装置にあらかじめ割り当てられた第１の無線リソースを用いて前記バッファ状態報告が送信された場合に、前記送信制御部によって実行中のランダムアクセス手順をキャンセルする第１のキャンセル制御部とを有し、
前記基地局装置は、
前記端末装置からの要求に応じて、前記バッファ状態報告を受信するためのランダムアクセス手順を実行するランダムアクセス処理部と、
前記第１の無線リソースにおいて前記バッファ状態報告が受信された場合に、前記ランダムアクセス処理部によって実行中のランダムアクセス手順をキャンセルする第２のキャンセル制御部とを有し、
前記第１のキャンセル制御部及び前記第２のキャンセル制御部は、
前記バッファ状態報告が前記ランダムアクセス手順によって与えられる第２の無線リソースを用いて送受信される場合に、前記ランダムアクセス手順をキャンセルしない
ことを特徴とする無線通信システム。
【請求項１０】
端末装置によって実行されるスケジューリングリクエスト方法であって、
データの送信を要求する際に、前記端末装置の送信バッファのデータ滞留量を示すバッファ状態報告を生成し、
前記バッファ状態報告を送信するためのランダムアクセス手順を実行し、
前記端末装置にあらかじめ割り当てられた第１の無線リソースを用いて前記バッファ状態報告が送信された場合に、実行中のランダムアクセス手順をキャンセルする処理を有し、
前記キャンセルする処理は、
前記バッファ状態報告が前記ランダムアクセス手順によって与えられる第２の無線リソースを用いて送信される場合に、前記ランダムアクセス手順をキャンセルしない
ことを特徴とするスケジューリングリクエスト方法。
【国際調査報告】
2019215802.tif 000008
2019215802.tif 000009
2019215802.tif 000010